(57)【要約】  【課題】  表示手段に表示する情報を低消費電力で表示し続けることができる携帯端末装置を提供すること。  【解決手段】  電源が供給され続けなくても表示した情報を保持することが可能な電子ペーパー３と、電子ペーパー３に電源を供給するための電源供給手段２と、電源供給手段２から電子ペーパー３に供給する電源をオン・オフするスイッチ１と、スイッチ１のオン・オフを制御する電源制御手段４と、電子ペーパー３に表示する情報を転送する情報転送手段５と、トリガ信号に応答して情報更新命令を電源制御手段４および情報転送手段５に出力する命令制御手段７とを備え、情報更新命令に応答して電源制御手段４がスイッチ１をオンするとともに、情報転送手段５が表示する情報を電子ペーパー３に転送し、情報の転送の終了後、電源制御手段４がスイッチ１をオフする。【選択図】  図１
2005128406.tif 000002
【特許請求の範囲】
【請求項１】
電源が供給され続けなくても表示した情報を保持することが可能な電子ペーパーを有する表示手段と、
前記表示手段に電源を供給するための電源供給手段と、
前記電源供給手段を制御する電源制御手段と、
前記表示手段に表示するための表示情報を転送する情報転送手段と、
前記表示手段に表示される情報を更新するための情報更新命令を前記電源制御手段および前記情報転送手段に出力する命令制御手段とを備え、
前記情報更新命令に応じて前記電源制御手段が前記電源供給手段から前記表示手段に電源の供給を開始させるとともに、前記情報転送手段が前記表示情報を前記表示手段に転送し、前記表示情報の転送の終了後、前記電源制御手段が前記電源供給手段から前記電子ペーパーへの電源の供給を停止させる携帯端末装置。
【請求項２】
請求項１記載の携帯端末装置であって、
前記情報転送手段は前記表示情報の転送の終了時に前記電源制御手段に情報転送終了情報を出力し、
前記電源制御手段は前記情報転送終了情報を受信すると、前記電源供給手段から前記電子ペーパーへの電源の供給を停止させるものである携帯端末装置。
【請求項３】
請求項１記載の携帯端末装置であって、
前記電源制御手段は、前記情報更新命令の受信してから所定時間後に前記電源供給手段から前記電子ペーパーへの電源の供給を停止させるものである携帯端末装置。
【請求項４】
請求項１ないし３のいずれか一項記載の携帯端末装置であって、
前記情報更新命令を発生するためのトリガ信号を生成して前記命令制御手段に出力するトリガ信号生成手段をさらに備える携帯端末装置。
【請求項５】
請求項４記載の携帯端末装置であって、
時刻を計る計時手段を更に備え、
前記トリガ信号生成手段は、前記トリガ信号を指定された時間または所定期間ごとに生成するものである携帯端末装置。
【請求項６】
請求項４または５記載の携帯端末装置であって、
トリガ信号を生成するための指示信号を入力する入力手段をさらに備え、
前記トリガ信号生成手段は、前記指示信号に基づいて前記トリガ信号を生成するものである携帯端末装置。
【請求項７】
請求項１ないし３のいずれか一項記載の携帯端末装置であって、
無線信号を受信した場合に前記情報更新命令を発生するためのトリガ信号を生成して前記命令制御手段に出力する無線受信手段をさらに備える携帯端末装置。
【請求項８】
請求項７記載の携帯端末装置であって、
前記無線信号は、近距離無線通信信号である携帯端末装置。
【請求項９】
請求項１ないし８のいずれか１項記載の携帯端末装置であって、
前記携帯端末装置は、２つの筐体と、前記２つの筐体を折畳み可能に連結するヒンジ部とを備えた折畳型携帯電話機であり、
前記表示手段は、前記折畳型携帯電話機を折り畳んだ状態において２つの筐体のうち少なくとも一方の外側表面に設けられるものである携帯端末装置。
【発明の詳細な説明】
【技術分野】
【０００１】
本発明は、電子ペーパーを有する表示手段を備えた携帯端末装置に関する。
【背景技術】
【０００２】
従来、情報を表示する表示装置を備えた携帯端末装置としては、液晶表示装置を備えた携帯電話装置が知られている（例えば、特許文献１参照）。
【０００３】
しかしながら、上記従来の表示装置を備えた携帯端末装置にあっては、表示装置に電源の供給を止めると表示装置に表示されている情報は消去されてしまう。従って、表示装置に情報を表示し続けるためには、表示装置に電源を供給し続けなくてはならないが、そのために携帯端末装置の消費電力が大きくなってしまうという事情があった。
【特許文献１】特開２００２−２４７１６４号公報
【発明の開示】
【発明が解決しようとする課題】
【０００４】
本発明は、上記従来の事情に鑑みてなされたものであって、表示手段に表示する情報を低消費電力で表示し続けることができる携帯端末装置を提供することを目的とする。
【課題を解決するための手段】
【０００５】
本発明の携帯端末装置は、
電源が供給され続けなくても表示した情報を保持することが可能な電子ペーパーを有する表示手段と、
前記表示手段に電源を供給するための電源供給手段と、
前記電源供給手段を制御する電源制御手段と、
前記表示手段に表示するための表示情報を転送する情報転送手段と、
前記表示手段に表示される情報を更新するための情報更新命令を前記電源制御手段および前記情報転送手段に出力する命令制御手段とを備え、
前記情報更新命令に応じて前記電源制御手段が前記電源供給手段から前記表示手段に電源の供給を開始させるとともに、前記情報転送手段が前記表示情報を前記表示手段に転送し、前記表示情報の転送の終了後、前記電源制御手段が前記電源供給手段から前記電子ペーパーへの電源の供給を停止させる。
【０００６】
この構成により、表示手段は電源を供給され続けなくても一度表示された情報を保持し表示し続けることが出来る電子ペーパーを有し、表示手段への電源供給を制御するので、表示手段に表示する情報を低消費電力で表示し続けることができる。
【０００７】
また、本発明の携帯端末装置は、前記情報転送手段は前記表示情報の転送の終了時に前記電源制御手段に情報転送終了情報を出力し、
前記電源制御手段は前記情報転送終了情報を受信すると、前記電源供給手段から前記電子ペーパーへの電源の供給を停止させるものである。
【０００８】
この構成により、表示手段は電源を供給され続けなくても一度表示された情報を保持し表示し続けることが出来る電子ペーパーを有し、表示手段への電源供給を制御するので、表示手段に表示する情報を低消費電力で表示し続けることができる。
【０００９】
また、本発明の携帯端末装置は、前記電源制御手段は、前記情報更新命令の受信してから所定時間後に前記電源供給手段から前記電子ペーパーへの電源の供給を停止させるものである。
【００１０】
この構成により、表示手段は電源を供給され続けなくても一度表示された情報を保持し表示し続けることが出来る電子ペーパーを有し、表示手段への電源供給を制御するので、表示手段に表示する情報を低消費電力で表示し続けることができる。
【００１１】
また、本発明の携帯端末装置は、前記情報更新命令を発生するためのトリガ信号を生成して前記命令制御手段に出力するトリガ信号生成手段をさらに備える。
【００１２】
この構成により、表示手段は電源を供給され続けなくても一度表示された情報を保持し表示し続けることが出来る電子ペーパーを有し、表示手段への電源供給を制御するので、表示手段に表示する情報を低消費電力で表示し続けることができる。
【００１３】
また、本発明の携帯端末装置は、時刻を計る計時手段を更に備え、
前記トリガ信号生成手段は、前記トリガ信号を指定された時間または所定期間ごとに生成するものである。
【００１４】
この構成により、トリガ信号は所定時間ごとに生成されて表示手段に表示する情報を更新するので、最新の情報を低消費電力で表示し続けることができる。
【００１５】
また、本発明の携帯端末装置は、トリガ信号を生成するための指示信号を入力する入力手段をさらに備え、
前記トリガ信号生成手段は、前記指示信号に基づいて前記トリガ信号を生成するものである。
【００１６】
この構成により、表示情報を更新するための入力があった場合に生成されるトリガ信号により電子ペーパーに表示する情報を更新するので、所望の時点で使用者が表示情報を更新することができる。
【００１７】
また、本発明の携帯端末装置は、無線信号を受信した場合に前記情報更新命令を発生するためのトリガ信号を生成して前記命令制御手段に出力する無線受信手段をさらに備える。
【００１８】
この構成により、無線信号を受信した場合に生成されるトリガ信号により表示手段に表示する情報を更新するので、最新の情報を低消費電力で表示し続けることができる。
【００１９】
また、本発明の携帯端末装置は、前記無線信号は、近距離無線通信信号である。
【００２０】
この構成により、近距離無線通信信号を受信した場合に生成されるトリガ信号により表示手段に表示する情報を更新するので、最新の情報を低消費電力で表示し続けることができる。また、携帯端末装置に記憶されていない情報を電子ペーパーに表示できるとともに、使用者が作成した表示用データを簡易に転送することができる。
【００２１】
また、前記携帯端末装置は、２つの筐体と、前記２つの筐体を折畳み可能に連結するヒンジ部とを備えた折畳型携帯電話機であり、
前記表示手段は、前記折畳型携帯電話機を折り畳んだ状態において２つの筐体のうち少なくとも一方の外側表面に設けられるものである。
【００２２】
本発明の携帯端末装置によれば、電子ペーパーは本体を折り畳んだ状態の外側表面に設けられるので、携帯端末装置を使用していないときでも必要な情報を容易に見ることができる。
【発明の効果】
【００２３】
本発明によれば、表示手段に表示する情報を低消費電力で表示し続けることができる携帯端末装置を提供することができる。
【発明を実施するための最良の形態】
【００２４】
（第１の実施形態）
図１は、本発明の第１の実施形態を説明するための携帯端末装置の一例としての携帯電話装置１００を示す概略構成図である。同図に示すように、本実施形態の携帯電話装置１００は、電子ペーパー３と、電源供給手段２と、スイッチ１と、電源制御手段４と、情報転送手段５と、トリガ信号生成手段８と、命令制御手段７とを備える。
【００２５】
電子ペーパー３は、一度表示された情報を電源供給をせずに保持して表示しつづけることが出来る表示手段である。電源供給手段２は、電子ペーパー３に電源を供給する。スイッチ１は、電源供給手段２から電子ペーパー３への電源供給のオン・オフを切換える。この電源供給手段２は、携帯電話装置１００のバッテリーと共用されていてもよい。電源制御手段４は、スイッチ１を制御することで、電子ペーパー３への電源供給を制御する。
【００２６】
情報転送手段５は、電子ペーパー３に表示する表示情報を、情報更新命令Ｐに基づいて転送する。この表示情報は、あらかじめ携帯電話装置１００の記憶部（不図示）に記憶された情報でもよいし、携帯電話装置１００の無線通信部（不図示）を介してダウンロードされたものでもよい。
【００２７】
トリガ信号生成手段８はトリガ信号Ｔを生成する。このトリガ信号生成手段８は、例えば、時刻を計る計時手段９やキー操作部等の入力手段１０等に接続されており、所望の時刻または所定時間毎にトリガ信号Ｔを生成したり、入力手段１０によって入力されたトリガ信号Ｔの生成を指示する指示信号に基づいてトリガ信号Ｔを生成したりする。命令制御手段７は、トリガ信号Ｔに応答して電子ペーパー３に表示する情報を更新する命令である情報更新命令Ｐを電源制御手段４と情報転送手段５に入力するものである。
【００２８】
本実施形態の携帯電話装置１００は、この情報更新命令Ｐが命令制御手段７から電源制御手段４と情報転送手段５に入力された時に、電源制御手段４によりスイッチ１をオンして電子ペーパー３に電源を供給するとともに、情報転送手段５により電子ペーパー３に表示する情報を更新し、情報の更新が終わったら電源制御手段４によりスイッチ１をオフして電子ペーパー３に対する電源の供給を止めるように動作する。
【００２９】
このように、本実施形態の携帯電話装置１００は、一度表示された情報を電源供給をせずに保持して表示し続けることが出来る電子ペーパー３を表示装置として備えるので、カレンダー画像などの情報を低消費電力で表示し続けることができる。
【００３０】
図２は、電子ペーパー３の動作原理の一例を説明するための図である。電子ペーパー３には各種の駆動方式があるが、図２では、電気泳動方式を例にとって説明する。この電気泳動方式では、表示画素として、マイナスに帯電した黒色のカーボン２３とプラスに帯電した白色の酸化チタン２２を透明な樹脂で包んだ微小なカプセル２４を使用する。
【００３１】
カプセル２４を含む塗料をフィルム上に塗布し、上部に透明電極２１を設け、下部に駆動電極２５を設ける。駆動電極２５は液晶パネルと同様にＴＦＴ（Thin Film Transistor）基板に形成する。
【００３２】
透明電極２１と駆動電極２５間に電圧をかけると酸化チタン２２とカーボン２３が上下に移動する。この際、駆動電極２５をプラスにすればマイナスに帯電したカーボン２３が下になり、駆動電極２５をマイナスにすればプラスに帯電した酸化チタン２２が下になる。
【００３３】
従って、上部から見ると透明電極２１を通して白黒のパターンが表示される。液晶パネルと同様に多数の格子状駆動電極２５を設ければ、印刷したように自由に文字や画像を表示することができる。また、一度引き付けられた粒子は、電源を切っても静電気の力でそのままの状態を保つ。従って、表示内容の書換えが容易であるとともに、電子ペーパー３への電源供給を停止しても表示内容が保持される。
【００３４】
次に、図１に示した携帯電話装置１００の動作について説明する。図３は、本実施形態の携帯電話装置１００において電子ペーパー３に表示する情報を更新する場合の動作を示すフローチャートである。
【００３５】
本実施形態の携帯電話装置１００は、命令制御手段７に、時間や入力手段による入力などの変化によるトリガＴが入力されない間は、電源制御手段４と情報転送手段５に情報更新命令Ｐが入力されず、スイッチ１はオフしたままの状態を保ち、電子ペーパー３に電源は供給されない（ステップＳ１、Ｓ２）。
【００３６】
命令制御手段７に、時間や入力手段による入力などの変化によるトリガＴが入力された時には、情報更新命令Ｐが命令制御手段７から電源制御手段４と情報転送手段５に入力される（ステップＳ２）。
【００３７】
情報更新命令Ｐが入力されると、電源制御手段４によりスイッチ１がオンし電子ペーパー３に電源が供給される（ステップＳ３）。
【００３８】
電子ペーパー３に電源が供給されると、電子ペーパー３に表示される情報を更新することが可能となるので、情報転送手段５により電子ペーパー３に表示される情報を更新する（ステップＳ４）。
【００３９】
情報の更新が終わったら、情報転送手段５は情報転送の終了を電源手段４に通知し、すなわち情報転送終了情報を出力し電源制御手段４は情報転送の終了を検出するとスイッチ１をオフして電子ペーパー３への電源供給を停止させる（ステップＳ１に戻る）。スイッチ１をオフしたら、命令制御手段７から電源制御手段４と情報転送手段５に情報更新命令Ｐが入力されるまでスイッチ１をオフしたままの状態を保ち、電子ペーパー３に電源は供給されない。
【００４０】
なお、情報転送の終了は、情報転送手段５が電源制御手段４へ通知する代わりに、制御手段（不図示）が検出して電源制御手段４に通知してもよい。また、情報転送手段５や転送する情報のサイズ等を示す管理情報を電源制御手段４を通知し、電源制御手段４は、管理情報に基づいて転送に要する時間を推定して、その推定された時間の経過後に電子ペーパー３への電源供給を停止させるようにしてもよい。さらには、電源制御手段４は情報更新命令Ｐを受信してから所定時間後に電子ペーパー３への電源供給を停止させるようにしてもよい。
【００４１】
このように、本実施形態の携帯電話装置１００は、電源を供給され続けなくても一度表示された情報を保持し表示し続けることが出来る電子ペーパー３を表示装置にするので、必要な情報を低消費電力で表示し続けることができる。
【００４２】
図４は、本実施形態の携帯電話装置１００の外観斜視図である。携帯電話装置１００は、第１の筐体１０１と、第２の筐体１０２と、ヒンジユニット１０２と、アンテナ１０４とを備え、ヒンジユニット１０２を介して第１の筐体１０１および第２の筐体１０２が開閉可能に接続された、開閉式携帯電話装置である。電子ペーパー３は、携帯電話装置１００が折り畳まれた状態において、第２の筐体１０２の外側表面１０５に設けられている。また、第２の筐体１０２の外側表面１０５と反対側の面には液晶表示装置等の表示部が設けられてもよい。
【００４３】
電子ペーパー３に図５に示すような画像１１０や図６に示すようなカレンダー１１１を表示することにより、携帯電話装置１００の待ち受け時に表示される待ち受け画面として電子ペーパー３を用いることが出来る。
【００４４】
この電子ペーパー３は電源を供給され続けなくても一度表示された情報を保持し表示し続ける表示装置であるので、電子ペーパー３に表示される画像１１０やカレンダー１１１を更新したい時にのみ、時間や入力手段による入力などの変化によるトリガ信号を入力し、画像１１０やカレンダー１１１を更新すればよい。たとえば、電子ペーパー３にカレンダー１１１を表示する場合、携帯電話装置１００が内蔵する計時手段等を用いて、トリガ信号生成手段８に１ヶ月ごとにトリガＴを発生させて、カレンダー１１１を自動的に更新してもよい。したがって、携帯電話を折畳んだ状態において、外側から見える表示手段に電子ペーパー３を用いることにより、電力を供給することなく、所望の画像を表示しつづけることが出来る。
【００４５】
このような第１の実施形態の携帯端末装置によれば、電子ペーパーに電源を供給しなくても電子３に一度表示された画像やカレンダーは保持され表示され続ける。したがって、電子ペーパーへ表示情報を表示させた後に自動的に電源供給を停止することで、電源供給せずに電子ペーパーに待ち受け画面として画像やカレンダー等の表示情報を表示し続けることが出来るため、携帯端末装置の低消費電力化を図ることが出来、電池寿命を延ばすことが出来る。
【００４６】
また、近距離無線通信により、パソコンや携帯情報端末等で作成したスケジュール表やメモ帳などのデータ（例えば画像データ）を携帯端末装置に転送し、また、近距離無線通信により電子ペーパーに表示する情報を更新する情報更新命令を転送することにより、転送されたデータ（例えば画像データ）を電子ペーパーに表示することができる。このように、近距離無線通信を利用することにより、携帯端末装置に記憶されていない情報を電子ペーパーに表示できるとともに、使用者が作成した表示用データを簡易に転送することができる。
【００４７】
（第２の実施形態）
図７は、本発明の第２の実施形態を説明するための携帯電話装置２００を示す概略構成図である。第１の実施形態で説明した図１と重複する部分には同一の符号を付す。図７および図３により本実施形態の携帯電話装置２００の動作について説明する。
【００４８】
本実施形態の携帯電話装置２００は、Bluetooth（登録商標）や無線ＬＡＮ等の近距離無線通信によるトリガ信号Ｍを受信した時にトリガ信号Ｔを命令制御手段７に入力する手段である無線受信手段１７を設ける。
【００４９】
そして、無線受信手段１７からのトリガ信号Ｔが命令制御手段７に入力されない間は、電源制御手段４と情報転送手段５に情報更新命令Ｐが入力されず、スイッチ１はオフしたままの状態を保ち、電子ペーパー３に電源は供給されない（ステップＳ１、Ｓ２）。
【００５０】
命令制御手段７に、時間やキー入力などの変化によるトリガ信号Ｔが入力された時には、情報更新命令Ｐが命令制御手段７から電源制御手段４と情報転送手段５に入力される（ステップＳ２）。
【００５１】
情報更新命令Ｐが入力されると、電源制御手段４によりスイッチ１がオンし電子ペーパー３に電源が供給される（ステップＳ３）。
【００５２】
電子ペーパー３に電源が供給されると、電子ペーパー３に表示される情報を更新することが可能となるので、情報転送手段５により電子ペーパー３に表示される情報を更新する（ステップＳ４）。
【００５３】
情報の更新が終わったら、ステップＳ１に戻り、電源制御手段４によりスイッチ１をオフして電子ペーパー３への電源供給を止める。スイッチ１をオフしたら、無線受信手段１７が次に近距離無線通信信号によるトリガ信号Ｍを受信し、命令制御手段７にトリガ信号Ｔを入力して、命令制御手段７から電源制御手段４と情報転送手段５に情報更新命令Ｐが入力されるまでスイッチ１をオフしたままの状態を保ち、電子ペーパー３に電源は供給されない。
【００５４】
このように、本実施形態の携帯電話装置２００は、電源を供給され続けなくても一度表示された情報を保持し表示し続けることが出来る電子ペーパー３を表示装置にするので、必要な情報を低消費電力で表示し続けることができる。
【００５５】
また、本実施形態の携帯電話装置２００においても、図４に示すように、携帯電話装置２００の背面１２に電子ペーパー３を配置し、この電子ペーパー３に図５に示すような画像１５や図６に示すようなカレンダー１６を表示することにより、携帯電話装置２００の待ち受け時に表示される待ち受け画面として電子ペーパー３を用いることが出来る。
【００５６】
この電子ペーパー３は電源を供給され続けなくても一度表示された情報を保持し表示し続ける表示装置であるので、電子ペーパー３に表示される画像１５やカレンダー１６を更新したい時にのみ、時間やキー入力などの変化によるトリガ信号を入力し、画像１５やカレンダー１６を更新すればよい。
【００５７】
このように、本実施形態の携帯電話装置２００は、電子ペーパー３に電源を供給しなくても、電子ペーパー３に一度表示された画像１５やカレンダー１６は保持され表示され続けるので、低消費電力で電子ペーパー３に待ち受け画面として画像１５やカレンダー１６を表示し続けることが出来、携帯電話装置の電池寿命を延ばすことが出来る。
【００５８】
なお、上記の実施形態では、情報更新命令Ｐを出力するために近距離無線通信信号をトリガ信号とする例を説明したが、その他の無線信号についても同様に実施可能である。
【００５９】
また、以上の説明では、電子ペーパー３に表示する情報として画像１５、カレンダー１６を表示する例を説明したが、その他の情報についても同様に実施可能である。
【００６０】
以上説明したように、第１および第２の実施形態係る携帯端末装置によれば、電源を供給せずに一度表示された情報を保持し表示し続けることが出来る電子ペーパーを表示手段として用いて、電子ペーパーへの電源供給を自動的に制御することにより、画像やカレンダーなどの情報を低消費電力で表示し続けることができる。
【産業上の利用可能性】
【００６１】
本発明の携帯端末は、表示手段に表示する情報を低消費電力で表示し続けることができる効果を有し、携帯電話等に有用である。
【図面の簡単な説明】
【００６２】
【図１】本発明の第１の実施形態を説明するための携帯電話装置の概略構成を示すブロック図
【図２】電子ペーパーの動作原理を示す説明図
【図３】本発明の実施形態における携帯電話装置の動作を示すフローチャート
【図４】本発明の実施形態における背面に電子ペーパーを備えた携帯電話装置の外観図
【図５】本発明の実施形態において電子ペーパーに表示する情報として画像を表示した携帯電話装置の外観図
【図６】本発明の実施形態において電子ペーパーに表示する情報としてカレンダーを表示した携帯電話装置の外観斜視図
【図７】本発明の第２の実施形態における携帯電話装置を説明するための概略構成を示すブロック図
【符号の説明】
【００６３】
１  スイッチ
２  電源供給手段
３  電子ペーパー
４  電源制御手段
５  情報転送手段
７  命令制御手段
８  トリガ信号生成手段
９  入力手段
１０  計時手段
１５  画像
１６  カレンダー
１７  無線受信手段
２１  透明電極
２２  酸化チタン
２３  カーボン
２４  カプセル
２５  駆動電極
１００、２００  携帯電話装置
１０１  第１の筐体
１０２  第２の筐体
１０３  ヒンジユニット
１０４  アンテナ
１０５  外側面
【図１】
2005128406.tif 000003
【図２】
2005128406.tif 000004
【図３】
2005128406.tif 000005
【図４】
2005128406.tif 000006
【図５】
2005128406.tif 000007
【図６】
2005128406.tif 000008
【図７】
2005128406.tif 000009